(57)【特許請求の範囲】
【請求項１】
こんろの鍋底温度検知用として、設定温度で電気抵抗値が急増する正特性の感温素子を利用したテーブルこんろの安全装置であって、
前記テーブルこんろのガス供給管入口に、通電によって開弁させる自己吸着用巻線と、通電により開弁状態を維持させる保持用巻線との２つの巻線を備えてなる元電磁弁を設け、その元電磁弁を前記感温素子と直列に接続すると共に、電源を備えてガス制御回路を構成し、更にそのガス制御回路に、こんろの点火操作に連動してガス制御回路への通電を制御する通電制御手段を設け、該通電制御手段により、こんろの点火時は少なくとも自己吸着用巻線に、その後は保持用巻線のみに通電させることを特徴とするテーブルこんろの安全装置。
【請求項２】
感温素子を利用したテーブルこんろが複数ある場合、全てのテーブルこんろにおける前記感温素子を直列に、且つ前記感温素子と元電磁弁とを直列に接続してガス制御回路を形成したことを特徴とする請求項１に記載のテーブルこんろの安全装置。
【発明の詳細な説明】
【０００１】
【発明の属する技術分野】
本発明は、こんろの鍋底温度検知用として、設定温度で電気抵抗値が急増する正特性の感温素子を利用したテーブルこんろの安全装置に関する。
【０００２】
【従来の技術】
図３は従来のテーブルこんろ２０の概略説明図で、２１はグリル、２２，２３はこんろで、ガス供給管２０ａからグリル２１、こんろ２２，２３へは、点滅器２１ａ，２２ａ，２３ａとガスバーナ２１ｂ，２２ｂ，２３ｂとが夫々設けられると共に、各点滅器２１ａ〜２３ａには、夫々のガス供給路を開閉可能なマグネット電磁弁２４，２５，２６が設けられる。又各ガスバーナ２１ｂ〜２３ｂの近傍には、熱電対２７，２８，２９が、こんろ２２，２３には、鍋底温度検知用のＮＴＣサーミスタ３０，３１が夫々設けられ、これらはグリル２１側の熱電対２７、マグネット電磁弁２４を除き、乾電池３２ａを備えた制御基板３２に接続される。よってこんろ２２，２３の点火時には、点火操作によって強制的に開弁されたマグネット電磁弁２５，２６を、制御基板３２からの通電で吸着開弁保持させて、ガスの供給を継続させるものとなる。そしてガスバーナ２２ｂ，２３ｂの立ち消え時には、熱電対２８，２９からの熱起電力の値を監視する制御基板３２が、マグネット電磁弁２５，２６への通電を停止し、鍋底過熱時には、同様にＮＴＣサーミスタ３０，３１の電気抵抗値を監視する制御基板３２が、マグネット電磁弁２５，２６への通電を停止し、夫々閉弁させる構成となっている。
【０００３】
【発明が解決しようとする課題】
上記安全装置においては、熱電対２８，２９の熱起電力値やＮＴＣサーミスタ３０，３１の電気抵抗値を制御基板３２で監視させてマグネット電磁弁２５，２６への通電制御をさせるため、回路構成が複雑となる。具体的には図４に示すように、制御基板３２においては、熱電対２８はコンパレータ３３、可変抵抗器３４等からなる立ち消え安全回路３５に、ＮＴＣサーミスタ３０はコンパレータ３６等からなる温度制御回路３７に夫々組み込まれ、夫々所定の入力電圧がコンパレータ３３，３６に入力される間は、トランジスタ３８，３９を介してマグネット電磁弁２５へ吸着保持電流が供給される構成となっている。特にこんろが上記のように複数個あると、熱電対２９やＮＴＣサーミスタ３１についても同様に夫々立ち消え安全回路４０と温度制御回路４１とが必要となる上、この場合コンパレータの動作保証用に電源電圧監視回路４２も必要となり、このような回路構成がコストアップの原因となっている。
又上記構成では制御基板３２の消費電流やマグネット電磁弁２５，２６の開弁保持のための通電電流も多く必要となり、電池寿命も短くなっていた。
【０００４】
【課題を解決するための手段】
そこで本発明は、より構成を簡略化してコストダウンを可能とするテーブルこんろの安全装置を提供するもので、その構成は、前記テーブルこんろのガス供給管入口に、通電によって開弁させる自己吸着用巻線と、通電により開弁状態を維持させる保持用巻線との２つの巻線を備えてなる元電磁弁を設け、その元電磁弁を前記感温素子と直列に接続すると共に、電源を備えてガス制御回路を構成し、更にそのガス制御回路に、こんろの点火操作に連動してガス制御回路への通電を制御する通電制御手段を設け、該通電制御手段により、こんろの点火時は少なくとも自己吸着用巻線に、その後は保持用巻線のみに通電させることを特徴とするものである。
又、感温素子を利用したテーブルこんろが複数ある場合、全てのテーブルこんろにおける前記感温素子を直列に、且つ前記感温素子と元電磁弁とを直列に接続してガス制御回路を形成することができる。
【０００５】
【発明の実施の形態】
以下本発明の実施の形態を図面に基づいて説明する。
図１はテーブルこんろの概略説明図で、ここでのテーブルこんろ１には、グリル２と、強火力のこんろ３、標準火力のこんろ４とが備えられる。ガス供給管５の入口には、保持用巻線６ａ、自己吸着用巻線６ｂの２つの巻線を有した元電磁弁６が設けられてガス供給管５を開閉可能とすると共に、ガス供給管５からグリル２、こんろ３，４へは、夫々点滅器２ａ，３ａ，４ａ、ガスバーナ２ｂ，３ｂ，４ｂが設けられて、点滅器２ａ〜４ａに、夫々マグネット電磁弁７，８，９が備えられている。又グリル２のガスバーナ２ｂの近傍には、熱電対１０が設けられてマグネット電磁弁７と接続され、ガスバーナ２ｂの加熱による熱起電力によって点火時に強制的に開弁させたマグネット電磁弁７を吸着開弁保持させ、炎の立ち消え時には、熱起電力低下によってマグネット電磁弁７を閉弁させるものとなっている。
そしてこんろ３，４には、夫々ガスバーナ３ｂ，４ｂ近傍に熱電対１１，１２と、鍋底中央に接触して鍋底温度を検知し、設定温度で電気抵抗値を急激に増大させる感温素子としてのＰＴＣサーミスタ１３，１４が夫々配置されている。熱電対１１，１２は、図２の回路図にも示すように、夫々マグネット電磁弁８，９へ接続されて、グリル２と同様にガスバーナ３ｂ，４ｂの加熱による熱起電力で、点火時に強制的に開弁させた弁体を吸着開弁保持させるもので、一方ＰＴＣサーミスタ１３，１４は、元電磁弁６と接続され、点火ボタンのプッシュ操作に連動する通電制御手段１６と共に、乾電池１７を電源とするガス制御回路１５を構成している。具体的には同図２の如く、ＰＴＣサーミスタ１３，１４は、通電制御手段１６のスイッチ１６ａと、元電磁弁６の保持用巻線６ａと直列に接続され、自己吸着用巻線６ｂは、通電制御手段１６のスイッチ１６ｂと共にＰＴＣサーミスタ１３，１４等と並列に乾電池１７へ接続されており、通電制御手段１６の２つのスイッチによって、点火時と燃焼継続時とで夫々２つの巻線への通電制御がなされるようになっている。尚１８は抵抗、１９はイグナイターで、ここではこんろの火力の相違により、こんろ３側のＰＴＣサーミスタ１３の方が設定温度は高くなっている。
【０００６】
以上の如く構成されたテーブルこんろ１は、こんろ３側で説明すると、図示しない点火ボタンをプッシュ操作すると、通電制御手段１６のスイッチ１６ａと１６ｂとが閉成し、自己吸着用巻線６ｂの通電により元電磁弁６は開弁して、ガス供給管５へガスの供給を行わせる。この点火操作によって点滅器３ａのマグネット電磁弁８は強制的に開弁されているから、ガスバーナ３ｂへガス供給され、同時にイグナイター１９も作動して点火される。その後は炎を検知した熱電対１１の熱起電力によってマグネット電磁弁８は開弁保持され、燃焼は継続するものとなる。その後点火ボタンを離すとスイッチ１６ｂは開成するが、点火操作と同時に閉成しているスイッチ１６ａによって保持用巻線６ａへも通電しているため、そのまま元電磁弁６は開弁保持される。
ここでガスバーナ３ｂに炎の立ち消えが生じると、熱電対１１からの熱起電力の低下により、マグネット電磁弁８は閉弁してガスバーナ３ｂは消火される。一方鍋底が過熱してＰＴＣサーミスタ１３の設定温度に達すると、電気抵抗値が急増して保持用巻線６ａへの通電量が減少するため、元電磁弁６が閉弁してここでガスの供給を停止することになる。これはこんろ４の使用時においても同様で、又こんろ３，４を同時に使用した場合は、夫々立ち消え時は熱電対１１，１２とマグネット電磁弁８，９との夫々の連係で対応され、鍋底過熱時は、一方のこんろに生じても元電磁弁６の閉弁で双方とも消火することになる。
このようにこのテーブルこんろ１においては、立ち消え、鍋底過熱の何れにおいても機能する安全装置が構成されるが、特に鍋底温度を検知するＰＴＣサーミスタ１３，１４を元電磁弁６の保持用巻線６ａと接続し、ＰＴＣサーミスタ１３，１４の電気抵抗値の変化で直接元電磁弁６の開閉をさせる構成としたから、ＰＴＣサーミスタ１３，１４の電気抵抗値の監視をさせる複雑な制御基板を設ける必要が無くなる。よってこんろが複数あっても簡易で低コストなガス制御回路１５で済み、消費電流も少なくなる。又ここでは立ち消え検知の熱電対１１，１２もこんろ３，４のマグネット電磁弁８，９と直接接続し、熱起電力値で開弁保持させる構成としているから、マグネット電磁弁８，９も安価なタイプが使用できると共に、全体の構成がより簡易化され、一層のコストダウンに繋がる。更に元電磁弁６に保持用巻線６ａと自己吸着用巻線６ｂとの２つの巻線を備えて、点火初期は自己吸着用巻線６ｂで元電磁弁６を開弁させ、その後は低電流の保持用巻線６ａで開弁保持させる形態としているから、点火時は弁体の押し切り操作が不要となって操作性が向上するのに加え、元電磁弁６への通電電流も抑えて乾電池１７の寿命をより長く保てるのである。
【０００７】
尚本発明は鍋底温度検知用の感温素子とガス供給管入口に設けた元電磁弁とでガス制御回路を構成し、簡略化を図る趣旨であるから、本趣旨を逸脱しない範囲で種々の設計変更は可能で、元電磁弁の仕様によっては回路基板を省略することもできる。例えば元電磁弁を保持用巻線１つのタイプとすると、点火時の押し切り操作は必要となるが、通電制御手段としては１つのスイッチで済む。更に上記ガス制御回路を除いて熱電対側の立ち消え安全機能は制御基板で処理させても、従来の構成からのコストダウンは達成できる。
【０００８】
【発明の効果】
以上本発明によれば、鍋底温度検知用の感温素子をガス供給管入口に設けた元電磁弁と関連させて簡易なガス制御回路を構成したことで、複雑な制御基板が不要となってテーブルこんろの構成を簡略化でき、コストダウンに繋がる。
又元電磁弁を、自己吸着用巻線と保持用巻線との２つの巻線を備えたものとし、通電制御手段により、こんろの点火時は少なくとも自己吸着用巻線に、その後は保持用巻線のみに通電させるため、元電磁弁に点火時の押し切り操作等余計な手間が増えることがない上、消費電流も抑えることができる。
さらに、感温素子を利用したテーブルこんろが複数ある場合、全てのテーブルこんろにおける前記感温素子を直列に、且つ前記感温素子と元電磁弁とを直列に接続してガス制御回路を形成すれば、鍋底過熱が一のこんろに生じても元電磁弁の閉弁で全てのこんろを消火することができる。加えて、こんろが複数あっても、簡易で低コストなガス制御回路で済み、消費電流も少なくなる。
【図面の簡単な説明】
【図１】テーブルこんろの安全装置を示す説明図である。
【図２】ガス制御回路の説明図である。
【図３】従来のテーブルこんろの安全装置を示す説明図である。
【図４】図３の制御基板の回路説明図である。
【符号の説明】
１・・テーブルこんろ、２・・グリル、３，４・・こんろ、５・・ガス供給管、６・・元電磁弁、６ａ・・保持用巻線、６ｂ・・自己吸着用巻線、７，８，９・・マグネット電磁弁、１０，１１，１２・・熱電対、１３，１４・・ＰＴＣサーミスタ、１５・・ガス制御回路、１６・・通電制御手段、１７・・乾電池。
【図１】
0003724655.tif 000002
【図２】
0003724655.tif 000003
【図３】
0003724655.tif 000004
【図４】
0003724655.tif 000005